(57)【特許請求の範囲】
【請求項１】
上位通信網に接続する複数の基地局と複数の携帯端末とが時分割多元接続方式によって通信する無線通信システムであって、
第１の基地局は、第１のキャリアの第１のタイムスロットを使用して第１の携帯端末と通信している場合に、第２の携帯端末から前記第１のタイムスロットを限定的に指定してリンクの確立を要求されると、前記第１のキャリアの前記第１のタイムスロットを通信に使用していない周辺の基地局（第２の基地局）を探索し、前記第２の基地局に自身の代わりに前記第１の基地局として前記第１の携帯端末と通信することを要求し、
前記第２の基地局は、当該要求を受け取ると、自局の通信における基地局識別情報を第１の基地局のものに変更すると共に前記第１のキャリアの前記第１のタイムスロットによって前記第１の携帯端末と通信することを特徴とする無線通信システム。
【請求項２】
前記第１の基地局は、前記第２の基地局が複数存在する場合には、複数の第２の基地局に対して前記第１の携帯端末からの受信強度を測定することを要求し、前記複数の第２の基地局の測定結果に基づいて、最も受信強度の強い第２の基地局に自身の代わりに前記第１の基地局として通信することを要求することを特徴とする請求項１に記載の無線通信システム。
【請求項３】
前記第２の基地局は、第１の携帯端末へ送信するための通信データを上位通信網から前記１基地局を経由して受け取り、さらに第１の携帯端末から受信した通信データを前記第１の基地局を経由して上位通信網へ送信することを特徴とする請求項１または２に記載の無線通信システム。
【請求項４】
前記第２の基地局は、前記第１の基地局が上位通信網から受け取り、蓄積した前記第１の携帯端末へ送信するための通信データを前記第１の基地局から受け取った後に第１の基地局を経由せずに前記第１の携帯端末へ送信するための通信データを上位通信網から受け取り、さらに第１の携帯端末から受信した通信データを上位通信網へ送信することを特徴とする請求項１または２に記載の無線通信システム。
【請求項５】
上位通信網に接続する複数の基地局と複数の携帯端末とが時分割多元接続方式によって通信する無線通信システムであって、
第１の基地局は、第１のキャリアの第１のタイムスロットを使用して第１の携帯端末と通信している場合に、第２の携帯端末から前記第１のタイムスロットを限定的に指定してリンクの確立を要求されると、前記第１のキャリアの前記第１のタイムスロットを通信に使用していない周辺の基地局（第２の基地局）を探索し、前記第２の基地局に自身の代わりに前記第１の基地局として通信することを要求し、
前記第２の基地局は、当該要求を受け取ると、自局の通信における基地局識別情報を第１の基地局のものに変更すると共に前記第１のキャリアの前記第１のタイムスロットによって前記第１の携帯端末と通信することを特徴とする通信方法。
【発明の詳細な説明】
【技術分野】
【０００１】
本発明は、無線通信システム及び通信方法に関するものである。
【背景技術】
【０００２】
現在、ＰＨＳ（Personal Handy-phone System）等の無線通信システムでは、多元接続方式として時分割多元接続（ＴＤＭＡ：Time Division Multiple Access）方式と時分割複信（ＴＤＤ：Time Division Duplex）方式が採用さている。この無線通信システムにおける基地局では、キャリアを所定時間間隔のタイムスロットに分割し、このタイムスロットによって携帯端末と各種情報を送受信する。そして、この無線通信システムでは、タイムスロットによってパケットデータを伝送するパケット通信方式によるデータ通信サービスが実用化されている。
【０００３】
上記無線通信システムにおける基地局では、連続する４つのタイムスロット毎に交互に下り回線（送信）及び上り回線（受信）を切り替えることによって各種情報を携帯端末と送受信する。そして、下り回線及び上り回線の各４タイムスロット、すなわち８タイムスロットによって１つのフレームが構成されている。そして、このような基地局では、自身のセルに存在する携帯端末が少ない場合などに、データ通信において、例えば各フレームにおける下り回線及び上り回線の先頭のタイムスロットを同一の携帯端末に割り当てる。つまり、各携帯端末には各フレームにおいて相対的に同一位置のタイムスロットが割り当てられる。
【０００４】
また、このような基地局では、自身のセルに存在する携帯端末が多い場合などに、１つの携帯端末あたりの通信速度は低下してしまうが、同一のタイムスロットを複数の携帯端末に共有させる。例えば、２つの携帯端末に同一のタイムスロットを共有させる場合に、各携帯端末に対するタイムスロットの割り当ての頻度を１つの携帯端末の場合の半分にする、つまり各携帯端末に通常の通信速度（フルレート）の半分の通信速度（ハーフレート）で通信を行わせる。このような場合に、２つの携帯端末は、１フレームずつ交互に同一のタイムスロットを使用しながら通信を行う。
【０００５】
さらに、このような基地局では、４つの携帯端末に同一のタイムスロットを共有させることも出来る。同一のタイムスロットを４つの携帯端末に共有させる場合には、各携帯端末に対するタイムスロットの割り当ての頻度を１つの携帯端末の場合の４分の１にする、つまり各携帯端末にフルレートの４分の１の通信速度（クォーターレート）で通信を行わせる。このような場合に、４つの携帯端末は、１フレームずつ順番に交替しながら同一のタイムスロットを使用して通信を行う。なお、非特許文献１には、上記のハーフレートおよびクォーターレートによる通信におけるタイムスロットの指定方法等が記載されている。
【非特許文献１】「第二世代コードレス電話システム標準規格  ＲＣＲ ＳＴＤ‐２８」５．０版，Ｐ８９〜９０  社団法人電波産業界（ARIB）
【発明の開示】
【発明が解決しようとする課題】
【０００６】
ところで、上記従来技術では、携帯端末にできるだけ多くのタイムスロットを割り当てることを目的として、同一のスロットを２つまたは４つの携帯端末に共有させている。しかしながら、このことにより、例えば、基地局に接続している携帯端末ａが、各フレームにおける下り回線及び上り回線の先頭のスロットを占有してデータ通信している場合に、新たな携帯端末ｂが当該基地局に接続すると、この携帯端末ｂと当該スロットを共有しなければならない為に、今までよりも低下した通信速度でデータ通信をしなければならなかった。また、このような場合に、携帯端末ａにセルに存在する携帯端末が少ない基地局にハンドオーバさせたとしても、データ通信では、ハンドオーバの発生によって、今まで実行していたデータ通信を一度終了する、つまりハンドオーバによって新たに接続した基地局でデータ通信を続きから行うことが出来ない。したがって、携帯端末ａは、新たな携帯端末ｂが基地局に接続した場合に、ハンドオーバをしたとしても、通信速度を改善することが出来ない。
【０００７】
本発明は、上述した事情を鑑みたものであり、従来より通信速度を向上させることが出来る無線通信システム及び通信方法を提供することを目的とする。
【課題を解決するための手段】
【０００８】
上記目的を達成するために、本発明では、無線通信システムに係る第１の解決手段として、上位通信網に接続する複数の基地局と複数の携帯端末とが時分割多元接続方式によって通信する無線通信システムであって、第１の基地局は、第１のキャリアの第１のタイムスロットを使用して第１の携帯端末と通信している場合に、第２の携帯端末から前記第１のタイムスロットを限定的に指定してリンクの確立を要求されると、前記第１のキャリアの前記第１のタイムスロットを通信に使用していない周辺の基地局（第２の基地局）を探索し、前記第２の基地局に自身の代わりに前記第１の基地局として前記第１の携帯端末と通信することを要求し、前記第２の基地局は、当該要求を受け取ると、自局の通信における基地局識別情報を第１の基地局のものに変更すると共に前記第１のキャリアの前記第１のタイムスロットによって前記第１の携帯端末と通信するという手段を採用する。
【０００９】
本発明では、無線通信システムに係る第２の解決手段として、上記第１の解決手段において、前記第１の基地局は、前記第２の基地局が複数存在する場合には、複数の第２の基地局に対して前記第１の携帯端末からの受信強度を測定することを要求し、前記複数の第２の基地局の測定結果に基づいて、最も受信強度の強い第２の基地局に自身の代わりに前記第１の基地局として通信することを要求するという手段を採用する。
【００１０】
本発明では、無線通信システムに係る第３の解決手段として、上記第１または第２の解決手段において、前記第２の基地局は、第１の携帯端末へ送信するための通信データを上位通信網から前記１基地局を経由して受け取り、さらに第１の携帯端末から受信した通信データを前記第１の基地局を経由して上位通信網へ送信するという手段を採用する。
【００１１】
本発明では、無線通信システムに係る第４の解決手段として、上記第１または第２の解決手段において、前記第２の基地局は、前記第１の基地局が上位通信網から受け取り、蓄積した前記第１の携帯端末へ送信するための通信データを前記第１の基地局から受け取った後に第１の基地局を経由せずに前記第１の携帯端末へ送信するための通信データを上位通信網から受け取り、さらに第１の携帯端末から受信した通信データを上位通信網へ送信するという手段を採用する。
【００１２】
本発明では、通信方法に係る第１の解決手段として、上位通信網に接続する複数の基地局と複数の携帯端末とが時分割多元接続方式によって通信する無線通信システムであって、第１の基地局は、第１のキャリアの第１のタイムスロットを使用して第１の携帯端末と通信している場合に、第２の携帯端末から前記第１のタイムスロットを限定的に指定してリンクの確立を要求されると、前記第１のキャリアの前記第１のタイムスロットを通信に使用していない周辺の基地局（第２の基地局）を探索し、前記第２の基地局に自身の代わりに前記第１の基地局として通信することを要求し、
前記第２の基地局は、当該要求を受け取ると、自局の通信における基地局識別情報を第１の基地局のものに変更すると共に前記第１のキャリアの前記第１のタイムスロットによって前記第１の携帯端末と通信するという手段を採用する。
【発明の効果】
【００１３】
本発明によれば、無線通信システムが、上位通信網に接続する複数の基地局と複数の携帯端末とが時分割多元接続方式によって通信する無線通信システムであって、第１の基地局は、第１のキャリアの第１のタイムスロットを使用して第１の携帯端末と通信している場合に、第２の携帯端末から前記第１のタイムスロットを限定的に指定してリンクの確立を要求されると、前記第１キャリアの前記第１のタイムスロットを通信に使用していない周辺の基地局（第２の基地局）を探索し、前記第２の基地局に自身の代わりに前記第１の基地局と通信することを要求し、前記第２の基地局は、当該要求を受け取ると通信における基地局識別情報を第１の基地局のものすると共に第１キャリアの第１のタイムスロットによって第１の携帯端末と通信するによって、従来であれば第１のスロットを第１の携帯端末と第２のスロットとが共有して通信する、すなわち通信速度をハーフレートにして通信しなければならなかったが、第１の基地局の代わりに第２の基地局が第１の携帯端末と通信することができる、すなわち第１の携帯端末はフルレートで通信することができる為に、従来より通信速度を向上させることが出来る。またこれにより、第２の携帯端末も、フルレートで第１の基地局と通信することが出来る。
【発明を実施するための最良の形態】
【００１４】
以下、図面を参照して、本発明の一実施形態について説明する。本実施形態は、ＰＨＳ（Personal Handy-phone System）端末と通信する基地局に関する。図１は本実施形態に係る基地局Ａ１によって構成される無線通信システムのシステム構成図である。  
【００１５】
この無線通信システムは、図１に示すように基地局Ａ１，Ａ２、ＰＨＳ端末Ｂ１，Ｂ２、専用ＩＰ（Internet Protocol）網Ｃ、インターネット交換局Ｄ及び公衆インターネット網Ｅから構成される。基地局Ａ１，Ａ２とＰＨＳ端末Ｂ１，Ｂ２は、時分割多元接続（ＴＤＭＡ：Time Division Multiple Access）方式及び時分割複信（ＴＤＤ：Time Division Duplex）方式を組み合わせた通信方式で相互に通信する通信装置である。
【００１６】
基地局Ａ１，Ａ２〜ＰＨＳ端末Ｂ１，Ｂ２間のＴＤＭＡ‐ＴＤＤ方式の通信におけるキャリアにおけるスロット、フレーム及びスーパーフレームついて、図２を参照して詳細に説明する。図２は、基地局Ａ１，Ａ２〜ＰＨＳ端末Ｂ１，Ｂ２間のＴＤＭＡ−ＴＤＤ方式の通信のキャリアにおけるスロット、フレーム及びスーパーフレームを示す模式図である。基地局Ａ１，Ａ２〜ＰＨＳ端末Ｂ１，Ｂ２間の通信におけるキャリアは、ＴＤＭＡ方式よって最小単位であるスロットに分割される。このスロットのスロット長は０．６２５ｓｅｃｍである。さらに、基地局Ａ１，Ａ２〜ＰＨＳ端末Ｂ１，Ｂ２間の通信におけるキャリアでは、ＴＤＤ方式によって４スロット毎に送信（下り回線）及び受信（上り回線）が切り替わっており、この送信及び受信の各４スロット、すなわち８スロットによってフレームが構成される。
【００１７】
なお、フレームのフレーム長は、５ｍＳｅｃである。さらに、複数のフレームによってスーパーフレームが構成され、このスーパーフレームのスーパーフレーム長は、１００ｍＳｅｃである。なお、図２に示す各格子が各スロットを示し、各スロットに記載した「Ｃ」、「Ｔ１」、「Ｔ２」、「Ｔ３」及び「Ｔ４」は各スロットに割り当てられたチャネルを示す。「Ｃ」は制御チャネルを示し、「Ｔ１」、「Ｔ２」、「Ｔ３」及び「Ｔ４」は通信チャネルを示す。
【００１８】
基地局Ａ１，Ａ２は、所定間隔をあけて離散的に配置されており、それぞれに割り当てられたセルにおいてＰＨＳ端末Ｂ１，Ｂ２と通信を行う。基地局Ａ１，Ａ２は、インターネット交換局Ｄと、専用ＩＰ網Ｃを介して接続しており、このインターネット交換局Ｄを介して公衆インターネット網Ｅと各種情報を送受信する。また、この基地局Ａ１，Ａ２は、専用ＩＰ網Ｃを介して相互に直接通信を行うことが出来る。
インターネット交換局Ｄは、公衆インターネット網Ｅから受信したデータを、送信先のＰＨＳ端末Ｂ１またはＢ２のリンク先に応じて基地局Ａ１またはＡ２に送信する。基地局Ａ１またはＡ２は、インターネット交換局Ｄから受信したデータを、ＰＨＳ端末Ｂ１またはＢ２に送信する。
【００１９】
次に、図３を参照して上記基地局Ａ１及び基地局Ａ２の構成について説明する。図３は、基地局Ａ１及び基地局Ａ２の基地局Ａ１は、無線通信部１、記憶部２、専用ＩＰ網通信Ｉ／Ｆ部３及び制御部４から構成され、基地局Ａ２は、無線通信部１１、記憶部１２、専用ＩＰ網通信Ｉ／Ｆ部１３及び制御部１４から構成される。そして、無線通信部１と無線通信部１１、記憶部２と記憶部１２、専用ＩＰ網通信Ｉ／Ｆ部３と専用ＩＰ網通信Ｉ／Ｆ部１３及び制御部４と制御部１４は、それぞれ同じ機能を有する。以下では、基地局Ａ１の各部について詳細に説明する。
【００２０】
無線通信部１は、制御部４による制御の下、制御チャネル及び通信チャネルによってＰＨＳ端末Ｂ１，Ｂ２と音声信号、データ信号及び制御信号等の各種信号を送受信する。
記憶部２は、不揮発性メモリであり、制御部４による制御の下、呼情報管理テーブル等の各種情報を記憶する。
図４は、呼情報管理テーブルを示す模式図である。図４に示すように呼情報管理テーブルには、呼番号毎に、第１通信チャネル情報として上記スロット番号、キャリア番号、通信方式及び通信レート等と、第１通信チャネル情報と同様に第２通信チャネル情報としてスロット番号、キャリア番号、通信方式及び通信レート等と、通話時間とが登録されているデータテーブルである。この呼番号は、基地局Ａ１とのリンク確立に成功したＰＨＳ端末Ｂ１，Ｂ２及びその他ＰＨＳ端末に割り振られる識別番号である。
【００２１】
専用ＩＰ網通信Ｉ／Ｆ部３は、専用ＩＰ網Ｃと接続する為のインタフェースであり、専用ＩＰ網Ｃを介してインターネット交換局Ｄ及び基地局Ａ２に接続している。
制御部４は、ＣＰＵ（Central Processing Unit）、ＲＯＭ（Read Only Memory）及びＲＡＭ（Random Access Memory）から構成される内部メモリ並びに上記無線通信部１、記憶部２及び専用ＩＰ網通信Ｉ／Ｆ部３と信号の入出力をそれぞれ行うインタフェース回路等から構成されており、上記ＲＯＭに記憶された制御プログラム、無線通信部１と専用ＩＰ網通信Ｉ／Ｆ部３が受信する信号に基づいて基地局Ａ１の全体動作を制御する。なお、ＲＯＭに記憶されている制御プログラムは、基地局切り替え制御プログラムを備えており、制御部４はこの基地局切り替え制御プログラムに基づいてデータ通信を実行する基地局の切り替えを制御する。なお、制御部４が実行する制御処理の詳細については、以下に基地局Ａ１の動作として説明する。
【００２２】
次に、上記構成の無線通信システムにおける基地局Ａ１及び基地局Ａ２の動作について、図５のシーケンス図を参照して説明する。図５は、基地局Ａ１及び基地局Ａ２の動作を示すシーケンス図である。
まず、ＰＨＳ端末Ｂ１が、データ通信を開始する為に制御チャネルによってリンク確立要求を基地局Ａ１に送信する。（ステップＳ１）
【００２３】
基地局Ａ１の制御部４は、無線通信部１が制御チャネルによってＰＨＳ端末Ｂ１からリンク確立要求を受信すると、ＰＨＳ端末Ｂ１が通信に使用する通信チャネルのキャリア及びそのキャリアにおけるスロットを決定し、決定したキャリアのスロットに割り当てた通信チャネルを使用して通信する旨をリンク確立応答として無線通信部１に送信させる（ステップＳ２）。なお、ここでは、制御部４によって決定されたキャリアをキャリアＣ１、そのキャリアにおけるスロットをスロットＳ１、そのスロットのチャネルを通信チャネルＴ１とする。
ＰＨＳ端末Ｂ１は、制御チャネルによって受信したリンク確立応答に基づいてキャリアＣ１におけるスロットＳ１に割り当てられた通信チャネルＴ１とのリンクを確立し、通信チャネルＴ１を使用してデータ通信を基地局Ａ１と実行する（ステップＳ３）。
【００２４】
そして、その後に基地局Ａ１のセル内に移動してきたＰＨＳ端末Ｂ２は、基地局Ａ１におけるスロットＳ１のタイミングでリンクを確立することを要求する旨のリンク確立要求を制御チャネルによって基地局Ａ１に送信する（ステップＳ４）。このＰＨＳ端末Ｂ２のように、基地局Ａ１へスロットを限定してリンクの確立を要求することを、スロット限定呼と呼ぶ。このスロット限定呼は、ＰＨＳ端末Ｂ２が、複数のスロットを使用して通信を行う場合において、既にリンクを確立しているタイミング以外のスロットを限定的に指定して基地局Ａ１にリンクの確立を要求することによって生じる。
【００２５】
そして、基地局Ａ１の制御部４は、無線通信部１がＰＨＳ端末Ｂ１からリンク確立要求を受信すると、周辺の基地局の中からキャリアＣ１のスロットＳ１に割り当てられる通信チャネルＴ１が通信に使用されていない基地局を探索する為に、通信チャネル調査要求を周辺の基地局Ａ２及びその他の基地局（図示略）へ専用ＩＰ網Ｃを介して専用ＩＰ網通信Ｉ／Ｆ部３に送信させる（ステップＳ５）。
【００２６】
基地局Ａ２の制御部１４は、専用ＩＰ網通信Ｉ／Ｆ部１３が通信チャネル調査要求を受信すると、キャリアＣ１におけるスロットＳ１の通信チャネルＴ１が通信に使用されているか否かの結果を通信チャネル調査応答として基地局Ａ１へ専用ＩＰ網通信Ｉ／Ｆ部１３に送信させる（ステップＳ６）。なお、基地局Ａ２では、キャリアＣ１のスロットＳ１に割り当てられる通信チャネルＴ１が通信に使用されていないものとする。
【００２７】
基地局Ａ１の制御部４は、専用ＩＰ網通信Ｉ／Ｆ部３が基地局Ａ２及びその他の基地局から受信した通信チャネル調査応答に基づいて、キャリアＣ１のスロットＳ１に割り当てれる通信チャネルＴ１が通信に使用されていない基地局を判断し（ステップＳ７）、それらの基地局（基地局Ａ２を含む）の中からＰＨＳ端末Ｂ１との通信状態が最もよい基地局、すなわちＰＨＳ端末Ｂ１から受信する制御チャネルの受信強度が最も強い基地局を判断する為に、受信強度測定要求をそれらの基地局（基地局Ａ２を含む）へ専用ＩＰ網通信Ｉ／Ｆ部３に送信させる（ステップＳ８）。
【００２８】
基地局Ａ２の制御部１４は、専用ＩＰ網通信Ｉ／Ｆ部１３が受信強度測定要求を受信すると、無線通信部１がＰＨＳ端末Ｂ１から受信する制御チャネル受信強度を測定し、その受信虚度の測定結果を受信強度測定応答として基地局Ａ１へ専用ＩＰ網通信Ｉ／Ｆ部１３に送信させる（ステップＳ９）。
基地局Ａ１の制御部４は、専用ＩＰ網通信Ｉ／Ｆ部３が基地局Ａ２及びその他の基地局から受信した受信強度測定応答に基づいて通信状態が最もよい基地局、すなわちＰＨＳ端末Ｂ１から受信する制御チャネルの受信強度が最も強い基地局を判断する（ステップＳ１０）。なお、ここでは、ＰＨＳ端末Ｂ１から受信する制御チャネルの受信強度が最も強いを基地局Ａ２とする。
【００２９】
基地局Ａ１の制御部４は、ＰＨＳ端末Ｂ１とのデータ通信を代わり基地局Ａ２に実行させる為に、データ通信においてＰＨＳ端末Ｂ１へ送信するパケットデータと、基地局Ａ１の代わりにキャリアＣ１のスロットＳ１に割り当てられる通信チャネルＴ１によってデータ通信することを指示する基地局代替指示を基地局Ａ２へ専用ＩＰ網通信Ｉ／Ｆ部３に送信させる（ステップＳ１１）。
【００３０】
そして、基地局Ａ２の制御部１４は、基地局Ａ２から専用ＩＰ網通信Ｉ／Ｆ部３がパケットデータ及び基地局代替指示を受信すると、キャリアＣ１のスロットＳ１に割り当てられる通信チャネルＴによってＰＨＳ端末Ｂ１とのリンクを確立すると共にリンク確立成功通知を基地局Ａ１へ専用ＩＰ網通信Ｉ／Ｆ部１３に送信させ（ステップＳ１２）、キャリアＣ１の制御チャネルが有する情報の１つである基地局ＩＤを基地局Ａ２から基地局Ａ１のものに変更すると共にキャリアＣ１のスロットＳ１の通信チャネルＴ１によってパケットデータをＰＨＳ端末Ｂ１へ無線通信部１１に送信させる、すなわちＰＨＳ端末Ｂ１とのデータ通信を実行する（ステップＳ１３）。
【００３１】
ＰＨＳ端末Ｂ１は、通常、基地局Ａ1から送信される電波の直接波のほかに、ある程度までの遅延波の受信を許容できる。そのことにより、ＰＨＳ端末Ｂ１は、ステップ１３においてキャリアＣ１のスロットＳ１の通信チャネルＴ１によって基地局Ａ２から送信される電波も基地局Ａ１から送信される電波の遅延波として許容できる範囲にあれば、パケットデータを受信、すなわちデータ通信することが出来る。また、パケットデータをＰＨＳ端末Ｂ１へ送信する基地局を、基地局Ａ１から基地局Ａ２へ切り替える際に、ＰＨＳ端末Ｂ１がパケットデータを正常に受信することが出来なかったとしても、データ通信には、ＰＨＳ端末Ｂ１が正常に受信することが出来なかったパケットデータを再送する仕組みが存在する為、問題は発生しない。
【００３２】
基地局Ａ１の制御部４は、専用ＩＰ網通信Ｉ／Ｆ部１３が基地局Ａ２からリンク確立成功通知を受信すると、キャリアＣ１のスロットＳ１に割り当てられる通信チャネルＴ１によってＰＨＳ端末Ｂ１と通信することを停止し（ステップＳ１４）、キャリアＣ１おけるスロットＳ１の通信チャネルＴ１を使用して通信する旨をリンク確立応答としてＰＨＳ端末Ｂ２へ無線通信部１に送信させる（ステップＳ１５）
【００３３】
ＰＨＳ端末Ｂ２は、制御チャネルによって受信したリンク確立応答に基づいてキャリアＣ１におけるスロットＳ１に割り当てられた通信チャネルＴ１とのリンクを確立し、通信チャネルＴ１を使用してデータ通信を基地局Ａ１と実行する（ステップＳ１６）。このとき、基地局Ａ１〜ＰＨＳ端末Ｂ２間の通信における通信速度は、フルレートになる。
【００３４】
以上説明したように、基地局Ａ１が、ＰＨＳ端末Ｂ１とキャリアＣ１のスロットＳ１に割り当てられる通信チャネルＴ１によってデータ通信している時に、ＰＨＳ端末Ｂ２からスロットＳ１を限定的に指定したリンク確立要求を受信すると、そのスロットをＰＨＳ端末Ｂ１及びＰＨＳ端末Ｂ２に共有させる、すなわちハーフレートによる通信を実行するのではなく、基地局Ａ１及びＰＨＳ端末Ｂ１の周辺の基地局の中から基地局Ａ１の代わりにＰＨＳ端末Ｂ１とデータ通信を実行することができる、すなわち通信チャネルＴ１が通信に使用されていない基地局Ａ２を探索し、その基地局Ａ２にＰＨＳ端末Ｂ１とのデータ通信を実行させることによって、ＰＨＳ端末Ｂ１は、ハーフレートではなくフルレートによってデータ通信を実行することが出来る為、従来より通信速度を向上させることが出来る。
また、ＰＨＳ端末Ｂ１、ＰＨＳ端末Ｂ２及びインターネット交換局Ｄを改良することなく、基地局Ａ１及び基地局Ａ２の改良によってデータ通信の通信速度を向上させることが出来る為、改良における負担を減少させることが出来る。
【００３５】
以上、本発明の一実施形態について説明したが、本発明は上記実施形態に限定されることなく、例えば以下のような変形が考えられる。
（１）上記実施形態では、基地局Ａ２は、基地局Ａ１から受け取ったパケットデータをＰＨＳ端末Ｂ１を送信したが、本発明はこれに限定されない。
例えば、基地局Ａ２は、基地局Ａ１に蓄積されているＰＨＳ端末Ｂ１に送信するパケットデータを受け取った後には、基地局Ａ１を経由せずにインターネット交換局Ｄから直接パケットデータを受け取り、このパケットデータをＰＨＳ端末Ｂ１に送信するようにしてもよい。また、基地局Ａ２は、ＰＨＳ端末Ｂ１からデータを受信した場合に、基地局Ａ１を経由してインターネット交換局Ｄへ送信してもよいし、また直接インターネット交換局Ｄへ送信してもよい。
【００３６】
（２）上記実施形態では、基地局Ａ１と基地局Ａ２とは、専用ＩＰ網によって接続されているが、ＩＳＤＮ（Integrated Services Digital Network）によって接続するようにしてもよい。
【図面の簡単な説明】
【００３７】
【図１】本実施形態に係る基地局Ａ１及び基地局Ａ２によって構成される無線通信システムのシステム構成図である。
【図２】本実施形態に係る基地局Ａ１，Ａ２〜ＰＨＳ端末Ｂ１，Ｂ２間のＴＤＭＡ−ＴＤＤ方式の通信のキャリアにおけるスロット、フレーム及びスーパーフレームを示す模式図である。
【図３】本実施形態に係る基地局Ａ１及び基地局Ａ２の機能ブロック図である。
【図４】本実施形態に係る基地局Ａ１及び基地局Ａ２の呼情報管理テーブルを示す模式図である。
【図５】本実施形態に係る基地局Ａ１及び基地局Ａ２の動作を示すシーケンス図である。
【符号の説明】
【００３８】
Ａ１，Ａ２…基地局、Ｂ１，Ｂ２…ＰＨＳ端末、Ｃ…専用ＩＰ網、Ｄ…インターネット交換局、Ｅ…公衆インターネット網、１，１１…無線通信部、２，１２…記憶部、３，１３…専用ＩＰ網通信Ｉ／Ｆ部、４，１４…制御部
【図１】
0005058873.tif 000002
【図２】
0005058873.tif 000003
【図３】
0005058873.tif 000004
【図４】
0005058873.tif 000005
【図５】
0005058873.tif 000006